(57)【要約】排出台が形成された三角四面体の包装容器を開示する。三角四面体の包装容器は四つの三角面を含む。三角面は一対の第１三角面および第２三角面に分類される。各々の一対の三角面は互いに向き合って配置される。一対の第１三角面の底辺は第１縫合部によって水平に縫合される。一対の第２三角面は第２縫合部によって第１縫合部に垂直に縫合される。排出台は三角四面体の容器の一定部位に形成される。
2004537481.tif 000002
【特許請求の範囲】
【請求項１】
互いに向き合って配置され、その底辺は第１縫合部によって水平に縫合される一対の第１三角面；
互いに向き合って配置され、その底辺は第２縫合部によって第１縫合部に垂直に縫合される第２三角面；および
容器の一定部位に設けて容器の内容物を吸飲および注ぐことができる排出台を備える三角四面体の流体貯蔵用包装容器。
【請求項２】
前記排出台は、第１また第２縫合部の中で少なくとも一つに付着されていることを特徴とする請求項１記載の流体貯蔵用包装容器。
【請求項３】
前記排出台は、前記三角面の一つの面の底面に対向する頂点の近傍に付着されていることを特徴とする請求項１記載の流体貯蔵用包装容器。
【請求項４】
前記排出台は、前記第１および第２縫合部の一側の角部に付着されていることを特徴とする請求項１記載の流体貯蔵用包装容器。
【請求項５】
前記排出台は、截取線で区画された保護部によって囲まれていることを特徴とする請求項１記載の流体貯蔵用包装容器。
【請求項６】
前記排出台は、截取線で区画された保護部によって囲まれていることを特徴とする請求項４記載の流体貯蔵用包装容器。
【請求項７】
前記排出台は、前記第１縫合部の縫合後、前記第２縫合部の縫合時に第２縫合部に付着され、流体は縫合部の縫合前に第２縫合部を通じて容器内に注入されることを特徴とする請求項１記載の流体貯蔵用包装容器。
【請求項８】
前記排出台は、前記第１縫合部の縫合時、第１縫合部に付着され、流体は前記第２縫合部の縫合前に第２縫合部を通じて容器内に注入されることを特徴とする請求項１記載の流体貯蔵用包装容器。
【請求項９】
前記第１縫合部の縫合時に前記排出台が第１縫合部に付着され、そして、前記第２縫合部が縫合された後、流体は前記排出台を通じて容器内に注入されることを特徴とする請求項１記載の流体貯蔵用包装容器。
【発明の詳細な説明】
【技術分野】
【０００１】
本発明はジュースとか牛乳などの液状の飲用水を入れて包装、運搬および販売できるようにした排出台が形成された三角四面体の包装容器に関する。
【０００２】
特に、本発明は容器内にある内容物の吸飲また排出が容易にする別途の排出台が提供されている三角四面体の包装容器に関する。
【背景技術】
【０００３】
コーラとかジュースのような飲み物、鉱泉水と他の飲用液状物は多様な形態の容器に入れて包装、運搬および市販されている。
【０００４】
このような内容物を入れる容器としては、ペットおよび缶などの円通形状の容器と、四角六面体形状の容器、そして三角四面体形状の容器などがよく知られている。
【０００５】
最近に、三角四面体の容器は自立性に優れ、その形状が美しくて、少量の液状物を入れる飲料容器として多く用いられている。
【０００６】
従来の三角四面体の容器が図１〜図４に図示されている。図１に図示されている容器は典型的な三角四面体の容器である。容器の両端には、第１および第２縫合部３、３’が形成されており、前記第１および第２縫合部３、３’は互いに直交するようになっているので、三角四面体の容器を形成する。このような三角四面体の容器を開封するためには、第１および第２縫合部３、３’の一つの角を切開して内容物を注いだり吸飲するようになっている。切開を容易にするために、容器の一つの角に截取線２を形成した。しかし、このような容器は、使用者が容器を開封時ごとに、別途の截取道具を準備するなどの不便を有している。
【０００７】
図２に図示されている容器は図１と類似な容器である。容器１の一面に薄板４を付着形成し、ストローをこの薄板を貫通して容器内に挿入するようになっている。しかし、このような構造も箔板４を別途に付着すべきである不便以外にもストローを包装容器１の外面に付着すべきである問題点を有している。
【０００８】
図３ａおよび図３ｂに図示されている包装容器は、ポンプディスペンサーの本体５に排出台７が形成された包装容器６を組み合ったものである。この構造は、取り替え形ポンプディスペンサーの本体５だけに用いられる限界がある。特に本体５がなくて包装容器６のみの自立時には内容物が排出台７を通じて溢れる。
【０００９】
図４は、開放部８があって使用者が内容物を容易に飲むことができる包装容器を示している。しかし、使用者が内容物を吸う場合もやはり別途のストローが必要である。
【発明の開示】
【００１０】
本発明は前記のような従来技術の問題点を解消するためのものである。本発明の目的は、使用者が容器内の内容物を容易に排出また飲用することができる排出台を備える三角四面体の包装容器を提供することにある。
【００１１】
本発明の他の目的は、内容物が溢れないように任意の位置に設けた排出台を備える三角四面体の包装容器を提供することである。
【００１２】
前記目的を実現するために、本発明は、互いに向き合って配置され、その底辺は第１縫合部によって水平に縫合されている一対の第１三角面；互いに向き合って配置され、その底辺は第２縫合部によって第１縫合部に垂直に縫合されている第２三角面；および容器の一定部位に設けて容器の内容物を吸飲および注ぐことができる排出台を備える三角四面体の流体貯蔵用包装容器を提供する。
【００１３】
本発明の実施の形態１によると、前記排出台は第１また第２縫合部の中で少なくとも一つに付着されている。
【００１４】
本発明の実施の形態２によると、前記排出台は前記三角面の一つの面の底面に対向する頂点の近傍に付着されている。
【００１５】
本発明の他の実施の形態によると、前記排出台は前記第１および第２縫合部の一側の角部に付着されている。
【００１６】
望ましくは、前記排出台は截取線で区画された保護部によって囲まれている。
【００１７】
望ましくは、前記排出台は第１縫合部の縫合後、第２縫合部の縫合時に第２縫合部に付着され、流体は縫合部の縫合前に第２縫合部を通じて容器内に注入される。
【００１８】
または、前記排出台は第１縫合部の縫合時、第１縫合部に付着され、流体は第２縫合部の縫合前に第２縫合部を通じて容器内に注入される。
【００１９】
または、前記第１縫合部の縫合時に前記排出台が第１縫合部に付着され、そして、前記第２縫合部が縫合された後、流体は前記排出台を通じて容器内に注入される。
【発明を実施するための最良の形態】
【００２０】
以下、添付図面を参照して本発明の望ましい実施の形態を説明する。本発明は多様な実施例を通じて説明されるが、説明の便宜のために同じ部品また部分には同一な符号を付与してその説明は省略した。
【００２１】
本発明に用いられる容器の材質は、紙、合成樹脂およびアルミニウムフォイルからなる群から選択された少なくとも二つ以上の物質をライネイティングした多層フィルムになる。
【００２２】
図１は、本発明の望ましい実施の形態１に従う排出台が形成された三角四面体の流体貯蔵用包装容器を図示している。
【００２３】
図に示したように、本発明の容器１００は三角四面体の容器として、四つの三角形になる面１０２Ａ、１０２Ｂ、１０２Ｃおよび１０２Ｄを有する。
【００２４】
前記容器１００の両端には第１および第２縫合部１０５、１０５’が形成されている。
【００２５】
これをより詳しく説明すると、前記第１縫合部１０５は向き合う三角面１０２Ａおよび１０２Ｃの底辺を互いに縫合するように水平直線に沿って形成される。すなわち、前記第１縫合部１０５は、向き合う三角面１０２Ｂおよび１０２Ｄの底辺の頂点を連結する水平直線に沿って形成される。前記第２縫合部１０５’は、向き合う三角面１０２Ｂおよび１０２Ｄの底辺を縫合するように前記水平直線に垂直する直線に沿って形成される。すなわち、前記第２縫合部１０５’は、向き合う三角面１０２Ａおよび１０２Ｃの底辺の頂点を連結する水平直線に沿って形成される。
【００２６】
本発明の特徴は、内容物を注いだり、吸飲するための排出台１０７は、前記第１および第２縫合部１０５、１０５’の一つの任意の位置に形成される。
【００２７】
内容物の注入工程を考慮する場合、前記排出台１０７を前記第１および第２縫合部１０５、１０５’の一つに位置させた後、他の第１および第２縫合部１０５、１０５’を未縫合状態に維持して、この他の第１および第２縫合部１０５、１０５’を通じて内容物を注入する。
【００２８】
または、前記縫合部１０５、１０５’の一つを縫合した後、内容物が他の縫合部を通じて容器に注入され、その後、他の縫合部の縫合時に前記排出台１０７を他の縫合部に設ける。
【００２９】
または、前記縫合部１０５、１０５’の一つを縫合した後、他の縫合部は、前記排出台１０７と共に縫合され、その後、内容物が前記排出台１０７を通じて容器に注入され、そして排出台の栓を排出台１０７に組み立てる。
【００３０】
本発明の排出台１０７は、内容物を吸飲したり注ぐできる構造であれば、あるものでも用いることができる。参考としてその一例を図９に示した。
【００３１】
使用者が排出台２０５の栓を開放した後、排出台の口部２０６に口を当てて吸うと、内容物が排出孔２０７を通じて吸出される。また、内容物を他の容器に移そうとする時は、使用者が容器１００を立ててその容器の面１０２Ａ−１０２Ｄを加圧すると、内容物が排出誘導部２０９が提供された排出孔２０７を通じて排出されるものである。
【００３２】
図６は、本発明の望ましい実施の形態２に従う排出台が形成されている三角四面体の容器を示している。この実施の形態において、前記排出台１０７は前記三角面の一つの底面と向き合う頂点の近傍の位置で形成されるものである。内容物の注入は、前記実施の形態１に記載された多様な方法により達成できる。
【００３３】
図７は、本発明の望ましい実施の形態３に従う排出台が形成されている三角四面体の容器を示している。この実施の形態において、前記排出台１０７’は、角を切開した後、縫合部１０５、１０５’の角に形成される。前記排出台１０７’は、保護部１０９に囲まれて外部の汚染源から保護されることができる構成になっている。
【００３４】
また、この実施の形態において、前記排出台１０７’は、栓が一体に形成されて捩じれた力によって取れて排出台が開封されることができる構造になっている。
【００３５】
同じように、内容物の注入は、前記実施の形態１に記載された多様な方法により達成できる。
【００３６】
図８は本発明の望ましい実施の形態４に従う排出台が形成されている三角四面体の容器を示している。
【００３７】
この実施の形態において、前記排出台１０７は、前記三角面の一つの底辺の近傍の位置に形成されている。
【００３８】
同じように、内容物の注入は、前記実施の形態１に記載された多様な方法により達成できる。
【００３９】
以上に説明したように、本発明は、使用者が内容物を容易に排出また吸飲できる排出台を容器に提供するので、使用者により便利な構造の包装容器、すなわち、スタンディングの安定性と外観の美しさを有している三角四面体の包装容器を提供する。
【００４０】
また、排出台１０７が、容器の中央部を一側に傾いて配置されるので、蓋が分離された状態でも内容物が排出台を通じて溢れない。
【００４１】
以上に、本発明の望ましい実施の形態を詳細に説明しましたが、これは本発明を限定されなく、当業者であれば、以下の特許請求の範囲で表す発明の範囲内で多様な変形ができる。
【産業上の利用可能性】
【００４２】
以上に説明した本発明の実施の形態を通じて分かるように、本発明の包装容器は、使用者が吸飲したり、注ぐことができるように、牛乳またジュースのような飲料用流体を貯蔵する容器として使用できる。また、本発明の包装容器は、洗剤、油などの産業用流体を零さなくて容易に排出させることができる容器としても適用できる。
【図面の簡単な説明】
【００４３】
【図１】従来の三角四面体の容器を示している斜視図である。
【図２】従来の三角四面体の容器を示している斜視図である。
【図３】従来の三角四面体の容器を示している斜視図である。
【図４】従来の三角四面体の容器を示している斜視図である。
【図５】本発明の実施の形態１に従う排出台が形成された三角四面体の容器を示している斜視図である。
【図６】本発明の実施の形態２に従う排出台が形成された三角四面体の容器を示している斜視図である。
【図７】本発明の実施の形態３に従う排出台が形成された三角四面体の容器を示している斜視図である。
【図８】本発明の実施の形態４に従う排出台が形成された三角四面体の容器を示している斜視図である。
【図９】本発明の排出台を示している斜視図である。
【国際公開パンフレット】
2004537481.tif 000003
2004537481.tif 000004
2004537481.tif 000005
2004537481.tif 000006
2004537481.tif 000007
2004537481.tif 000008
2004537481.tif 000009
2004537481.tif 000010
2004537481.tif 000011
2004537481.tif 000012
2004537481.tif 000013
2004537481.tif 000014
2004537481.tif 000015
2004537481.tif 000016
2004537481.tif 000017
2004537481.tif 000018
2004537481.tif 000019
2004537481.tif 000020
2004537481.tif 000021
2004537481.tif 000022
【国際調査報告】
2004537481.tif 000023